(57)【要約】【課題】  従来の市販の台所の流し台用三角コーナーは、汚れやすく、汚れ落としが面倒であるという問題があった。【解決手段】  本発明の流し台用ごみ収納袋保持具は、筒体下部に通気口となる切欠け部分を設けた本体と、コの字型の止め枠とを備え、本体に水切り袋を折返して被せた上から、本体と止め枠とで挟み、水切り袋を吊り下げた状態で固定し、水切り袋の生ゴミの水切り汁が本体に付着しにくく、本体及び止め枠の清掃は簡単に済ませられる。流し台の水使いが終われば本体を流し台の排水口の上に置くようにすればシンクが汚れず、シンクの清掃が簡単に済ませられる衛生的な流し台用ごみ収納袋保持具を提供できる。【選択図】図１
2018070371.tif 000002
【特許請求の範囲】
【請求項１】
水切り袋を取り付けできる筒体である本体と、コの字型の断面で上部と外側鉛直部と内側鉛直部を有し、前記内側鉛直部の長さが前記外側鉛直部の長さより大きい止め枠とを備え、前記水切り袋を前記本体上部に前記水切り袋の開口部分を折り返して被せ、前記止め枠を前記水切り袋の折り返しの上から押しこんで、前記水切り袋を前記本体内面と前記止め枠の内側鉛直部で挟んで固定し、本体下部には通気口を備えた構造を有したことを特徴とする流し台用ごみ収納袋保持具。
【発明の詳細な説明】
【技術分野】
【０００１】  本発明は、台所の生ゴミ入れがいつも清潔であるために、汚れにくく、汚れても洗浄しやすい構造の流し台用ごみ収納袋保持具を提供する。
【背景技術】
【０００２】  従来の三角コーナーは、本体に水切り用のスリットや穴があり汚れやすい構造であるため、水切り袋の口の部分を保持して吊り下げる構造のものが発明されるようになったが、使いにくいという欠点があり従来の三角コーナーが依然として主に使用されている。
【先行技術文献】
【特許文献】
【０００３】
【特許文献１】  特開平１１−０７９３０２
【特許文献２】  特開２００１−２１４４９０
【特許文献３】  特開２００５−１７９０５４
【特許文献４】  特開２００８−１６９０３５
【発明の概要】
【発明が解決しようとする課題】
【０００４】  特許文献１については、底部分に足の着いた三角コーナーの底部に水切り袋が置かれるので、水切り袋の折返し部の方向付けができればよく、水切り袋の開口部を固定するＬ型の枠は必ずしも必要ではない。三角コーナー及び、三角コーナーの置き場所となるシンク面が汚れやすい。足の部分が排水口に入ると三角コーナーが不安定になる。
特許文献２については、水切り袋の開口部を断面がコの字型の下枠と上枠の三方面あるいは二方面で挟み、シンクの側壁に吊るす構造であり、水切り袋の材質や厚さに適した下枠と上枠の嵌め合いを見つけての製作と、水切り袋を枠で挟み込む作業が面倒である。
特許文献３については、シンクの隅に置く本体は本体下部が低いアーチ型で、害虫が入り込まないことを特徴としているが、本体と流し台面に隙間となるアーチを設けて害虫の入り込まないという条件を満足させる本体の製作は困難である。水切り袋は輪ゴム止めなので下方にずれ、ごみの水切りが十分にできず水切り袋がシンクに置かれた状態になる。
特許文献４については、４辺の部材をＬ形に変形させるために部材数が多く、部材の組立にねじを使っているので組立が面倒であり、汚れた場合の洗浄が簡単ではない。水切り袋の固定はクリップで行うので面倒である。水切り袋の開口部を閉じるためにゴミの容量が半減する。シンクの側壁に固定して置かれるので、シンクが汚れやすい。【０００５】  水切り袋を使った三角コーナーの必要が高まり発明がされているが、まだ満足できる製品が完成していない。水切り袋を吊り下げて使用できれば生ごみの水切りができ、シンクの汚れやぬめりの清掃が簡単にできるので、主婦からは水切り袋を簡単に取り付けできて、水切りができる三角コーナーの要求が強くなってきている。
従来の三角コーナーは置き場所がシンクの隅で、汚れやぬめりで不衛生である。シンクから汚れやぬめりの個所を無くしたいという主婦の要求がある。
【課題を解決するための手段】
【０００６】  上記の目的を達成するために本発明は、水切り袋を取り付けできる筒体である本体と、コの字型の断面で上部と外側鉛直部と内側鉛直部を有し、前記内側鉛直部の長さが前記外側鉛直部の長さより大きい止め枠とを備え、前記水切り袋を前記本体上部に前記水切り袋の開口部分を折り返して被せ、前記止め枠を前記水切り袋の折り返しの上から押しこんで、前記水切り袋を前記本体内面と前記止め枠の前記内側鉛直部で挟んで固定し、本体下部には通気口を備えた構造を有したことを特徴とする流し台用ごみ収納袋保持具を提供する。
【発明の効果】
【０００７】  本発明の流し台用流し台用ごみ収納袋保持具は、止め枠を本体に押し込めば、水切り袋を本体内面と止め枠の内側鉛直部とで挟んで固定できる構造なので、水切り袋の取り付けが簡単に行える。【０００８】  本発明の流し台用流し台用ごみ収納袋保持具は、本体と止め枠はゴミ袋が本体の中央に吊り下げられるので、ごみとの接触が少ない本体は汚れにくい。本体は排水口の上に置くことができるので、流し台面を汚すことが少なくなり、流し台の汚れは簡単な清掃で取り除くことができる。【０００９】  本発明の流し台用ごみ収納袋保持具は、本体下部に通気口があるので、流し台面のぬめりが発生しにくくなり、また、流し台の水使いの水が通気口を通り本体が囲っている流し台面を洗い流せる。窓は、本体の内部の風通しが良くなるので湿気除去に効果がある。本体の表面積が窓によって少なくなり、汚れ落としの清掃が簡単になる。
【図面の簡単な説明】
【００１０】
【図１】  本発明の一実施形態を示す流し台用ごみ収納袋保持具の斜視図である。矢印ウは右側から見た側面図であり図３に示す。矢印アは矢印ウと対象の図であるので、図３を参照。矢印イから見た中央部分の本体１には、図３に示す通り通気口３と窓９は無い。矢印イは裏側から見た裏正面図を示すが、図３から作図できるので裏正面図は省略した。矢印エから見た正面図の通気口３と矢印イに面する本体１通気口３とが重なり複雑になるので、矢印イに面する本体１を除いた矢印エを正面図として図２に示す。
【図２】  本発明の流し台用ごみ収納袋保持具の正面図である。
【図３】  本発明の流し台用ごみ収納袋保持具の側面図である。
【図４】  本発明の流し台用ごみ収納袋保持具で水切り袋の折返しに袋乗せ台を使わない場合の説明図である。
【図５】  本発明の流し台用ごみ収納袋保持具で水切り袋の折返しに袋乗せ台を使った場合の説明図である。
【図６】  本発明の流し台用ごみ収納袋保持具の図３の断面Ａ−Ａの状態になる前の拡大図で、本体の上部に水切り袋が折り返された状況図である。
【図７】  本発明の流し台用ごみ収納袋保持具の図３の断面Ａ−Ａの状態になる前の拡大図で、本体の上部に水切り袋が折り返された上に、止め枠が仮置きされた状況図である。
【図８】  本発明の流し台用ごみ収納袋保持具の図３の断面Ａ−Ａの拡大図で、図７の状況から、止め枠を本体の上部に押し込んだ状況図である。水切り袋が本体上部の内面と止め枠の内側鉛直部で挟まれて固定されている状況を示す図である。
【図９】  本発明の流し台用ごみ収納袋保持具の本体を排水口の上に置いた平面図である。
【図１０】  本発明の流し台用ごみ収納袋保持具の本体を排水口の上に置いた図９の断面Ｂ−Ｂである。一点鎖線で水切り袋を示し、本体の窓、通気口は省略した。
【図１１】  図９のＣの拡大図であり、本体内面に有する山を示す。
【発明を実施するための形態】
【００１１】  以下、本発明の実施形態を図１〜図１１に基づいて説明する。
【００１２】  本発明の流し台用ごみ収納袋保持具は、プラスチック成型品で図１、図２、図３に示すように水切り袋８を取り付けできる本体１と、本体１に取り付けられた水切り袋８を本体１とで挟んで固定する止め枠４からなる。本体１の上部に水切り袋８の開口部分を折り返して被せ、止め枠４を水切り袋８の折り返しの上から押しこんで、図１、図２、図３で示すように水切り袋８を本体１の内面と止め枠４の内側鉛直部７とで挟んで固定する。止め枠４の外側鉛直部６は図３に示すように水切り袋８の開口部が本体１に沿うよう下方に方向付けをする。水切り袋８にニ重、三重の重なりの個所があっても、本体１の内面と止め枠４の内側鉛直部７で挟んで固定できる。本発明は本体１の内面に図１１に示す本体１の内面の突出部である山２を、適当間隔に設けて水切り袋８に大きな圧縮力がかかるようにして水切り袋８の固定を行う。また、本体１の上部の山２の突出部は、ごみの重みで下がろうとする水切り袋８に食いこみ、水切り袋８は最初の位置を保持できる。山２は図９のＤを拡大した図１１で示す本体１の内面の突出部である。本発明の水切り袋８を固定する方法について特許、実用新案の存在を調査したところ、特許、実用新案共に申請されていなかった。市販品を調べると、底有りの本体容器に袋を折り返して取り付け、コの字型の枠で袋を押さえるものが有ったので、水切り袋８を取り付けてチェックしたところ、水切り袋８の固定が十分でないのと本体容器に水がたまるので流し台用には使用できなかった。
水切り袋８の開口部の折返し位置を決めるのには、図４に示すようにシンク１０に置かれた本体１の中に水切り袋８を底から入れ、開口部を広げて本体１上部と接するところから折り返すか、図５に示すようにシンクに置かれた本体の中に厚さが６ｍｍほどの袋乗せ台１２を入れてから水切り袋８を置き、開口部を広げて本体１上部と接するところから折り返す。図４では水切り袋８のシール部がシンク１０と接するがごみの入っている袋部分とシンク１０との直接の接触はない。図５では袋乗せ台１２を除去すれば水切り袋８は宙吊りとなる。水切り袋８の開口部の折返し位置は図４、図５に示す方法で適宜決める。
【００１３】  従来の三角コーナーは、流し台の隅に設置するが、流し台の水使いが終われば本発明の流し台用ごみ収納袋保持具は、本体１を水平移動させ、流し台の排水口１１の上に設置することができる。本発明のごみ収納袋保持具の置き場所は流し台のコーナーに限らないので名称を流し台用ごみ収納袋保持具とする。通常、流し台の排水口１１の直径は１４５ｍｍ（円周の長さは４５５ｍｍ）であり、本発明の流し台用ごみ収納袋保持具は、市販の水切り袋（開口部の長さは約５００ｍｍ）８を使用する。本発明の実施例である略扇形をした本体１を排水口１１の上に置いて上から見た平面図が図９である。本発明の流し台用ごみ収納袋保持具は本体１が排水口１１に落ちないように図９で示すように置くことができる。本発明の実施例である略扇形の本体１ほか排水口に落ちない本体形状としては排水口の直径より大きな直径の丸形や多角形があり、いずれも本発明の本体１とすることができる。止め枠３は本体に形状合わせをして製作する。図１０は図９の断面Ｂ−Ｂである。図１０においては止め枠４は省略し、水切り袋８は一点鎖線で示し、本体１、シンク１０、排水口１１は実線で示す。図１０は水切り袋８と排水口１１の位置関係を示している。
【００１４】  本発明の流し台用ごみ収納袋保持具は、図１、図２、図３に示すように通気口３があるので本体１下部の通気ができ、流し台面がぬめりにくく、また、流し台の水使いの水が通気口３を通って本体１の囲っている流し台面を洗い流せる。本体１に設けた窓９の開口は、本体１の内部の風通しを良くするので、本体１の内部の湿気を下げる効果がある。
【符号の説明】請求の範囲外は除外【００１５】１  本体
２  山
３  通気口
４  止め枠
５  上部
６  外側鉛直部
７  内側鉛直部
８  水切り袋
【図１】
2018070371.tif 000003
【図２】
2018070371.tif 000004
【図３】
2018070371.tif 000005
【図４】
2018070371.tif 000006
【図５】
2018070371.tif 000007
【図６】
2018070371.tif 000008
【図７】
2018070371.tif 000009
【図８】
2018070371.tif 000010
【図９】
2018070371.tif 000011
【図１０】
2018070371.tif 000012
【図１１】
2018070371.tif 000013